(57)【要約】  目的は、ユーザが容易に導入できる監視システムを提供することにある。監視システムは負荷装置３０の手動操作部３２の操作を監視するために負荷装置３０の電池ボックスに装着される電池形電源装置４０と、電池形電源装置にネットワーク６０を経由して接続されるサーバ装置１０とを具備する。電池形電源装置は負荷装置への電力供給のための電池を収容する電池収容部と、負荷装置と電池との間に流れる電流の変動に基づいて手動操作部が操作されたことを検出する手段と、手動操作部の操作が検出されたときその操作データをサーバ装置に送信する手段とを有する。サーバ装置は電池形電源装置から操作データを受信する手段と、受信された操作データを記憶する手段と、記憶された操作データに基づいて手動操作部の操作を集計し集計データを発生する集計手段と、集計データをネットワークを経由して外部機器５０に送信する手段とを有する。
2019064992.tif 000002
【特許請求の範囲】
【請求項１】
電池を収納する電池ボックスと手動操作部とを有する負荷装置の操作を監視する監視システムであって、
前記負荷装置の電池ボックスに装着される電池形電源装置と、
前記電池形電源装置にネットワークを経由して接続されるサーバ装置とを具備し、
前記電池形電源装置は、
前記負荷装置への電力供給のための電池を収容する電池収容部と、
前記負荷装置と前記電池との間に流れる電流の変動に基づいて前記手動操作部が操作されたことを検出する手段と、
前記手動操作部の操作が検出されたとき、前記手動操作部が操作されたことを表す操作データを前記ネットワークを介して前記サーバ装置に送信する手段とを有し、
前記サーバ装置は、
前記電池形電源装置から前記操作データを受信する手段と、
前記受信された操作データを記憶する手段と、
前記記憶された操作データに基づいて前記手動操作部の操作を集計し集計データを発生する集計手段と、
前記集計データを前記ネットワークを経由して外部機器に送信する手段とを有することを特徴とする監視システム。
【請求項２】
前記操作データには、前記電池形電源装置を識別するＩＤと前記手動操作部が操作された時刻を表すタイムコードとが含まれることを特徴とする請求項１記載の監視システム。
【請求項３】
前記集計手段は、前記ＩＤと前記タイムコードとに基づいて前記手動操作部の単位時間あたりの操作回数を計数することを特徴とする請求項２記載の監視システム。
【請求項４】
前記電池形電源装置は、
前記電池の電池電圧を検出する手段とをさらに有し、
前記操作データは前記電池電圧に関するデータを含むことを特徴とする請求項１記載の監視システム。
【請求項５】
前記電池形電源装置は、
電池規格に準じた形状及び寸法の有底の円筒形に構成され、その前後端面に外部正極端子と外部負極端子とがそれぞれ装備されるケースと、
前記ケースの内側に前記電池を収納するものであって、前記収納された電池の前後端子にそれぞれ接触する内側正極端子と内側負極端子とを有する電池収納部と、
前記外部負極端子と前記内側負極端子との間に介在される検出抵抗と、
前記検出抵抗の両端電圧を参照電圧に対して比較するコンパレータと、をさらに有し、
前記手動操作部の操作を検出する手段は、
前記コンパレータの出力信号に基づいて前記手動操作部の操作を検出することを特徴とする請求項１記載の監視システム。
【請求項６】
手動操作部を有する負荷装置の電池ボックスに装着される電池形電源装置にネットワークを経由して接続されるサーバ装置であって、
前記手動操作部が操作されたことを表す操作データを前記電池形電源装置から受信する手段と、
前記受信された操作データを記憶する手段と、
前記記憶された操作データに基づいて前記手動操作部の操作を集計し集計データを発生する手段と、
前記集計データを前記ネットワークを経由して外部機器に送信する手段とを有することを特徴とするサーバ装置。
【請求項７】
手動操作部を有する負荷装置の電池ボックスに装着される電池形電源装置にネットワークを経由して接続されるサーバ装置に、
前記手動操作部が操作されたことを表す操作データを前記電池形電源装置から受信する手段と、
前記受信された操作データを記憶する手段と、
前記記憶された操作データに基づいて前記手動操作部の操作を集計し集計データを発生する手段と、
前記集計データを前記ネットワークを経由して外部機器に送信する手段とを実現させるためのプログラム。
【請求項８】
負荷装置の電池ボックスに装着可能な電池形電源装置において、
電池規格に準じた形状及び寸法のハウジングと、
前記ハウジングの内側に外部電池を収納するものであって、前記収納された外部電池の前後端子に接触する内側正極端子と内側負極端子とを有する電池収納部と、
前記ハウジングの前端面に設けられ、前記内側正極端子に接続される外側正極端子と、
前記ハウジングの後端面に設けられ、前記内側負極端子に接続される外側負極端子と、
前記外部電池と前記負荷装置との間に流れる電流を電圧に変換するために、前記内側正極端子と前記外側正極端子との間または前記内側負極端子と前記外側負極端子との間に介在される検出抵抗と、
前記検出抵抗により変換された電圧に基づいて特定データを発生し、前記特定データを外部情報処理装置に送信する手段とを具備することを特徴とする電池形電源装置。
【発明の詳細な説明】
【技術分野】
【０００１】
本発明は、監視システム、サーバ装置及びプログラムに関する。
【背景技術】
【０００２】
近年、センサ技術を用いた様々な高齢者の見守り監視システムが登場している。例えば、見守り監視システムは、家の中で高齢者が必ず利用するトイレなどの場所に人感センサを設置し、人感センサからのセンサ情報をサーバ装置で収集するシステムである。遠隔地に居る高齢者の子供は、スマートフォンなどの携帯型情報端末を用いてサーバ装置により提供される見守りサイト上で、センサ情報の収集結果を閲覧することができる。また、人感センサではなく、高齢者に直接的に装着される心拍センサを用いたシステムや、見守りシステムで利用されることを前提として、例えば、ドアの開閉を検知するセンサを装備する冷蔵庫等の製品なども登場している。【０００３】
しかしながら、人感センサを用いた見守りシステムを導入する場合、人感センサを住宅に新たに設置する必要があるため、導入コストが高い。また、見守られる側の人間に見える位置に人感センサが設置されていれば、誰かに見守られているという精神的負担に繋がるかもしれない。さらに、人感センサが故障した場合、その交換作業において、人感センサはある程度の位置合わせ等が必要であるため、素人が簡単に交換できるものではなく、仮に誤った向きに人感センサが設置されてしまうと正しいセンサ情報を収集できなくなってしまう。心拍センサを用いた見守りシステムを導入する場合、見守られる側の人間が心拍センサをきちんと装着していることが前提となるため、心拍センサを装着する煩わしさにより、心拍センサが正しく装着されず、正確な情報を収集できない可能性がある。このように、導入コスト、メンテナンス性、正確な情報の収集という観点から、既存の見守りシステムの導入障壁は高い。
【発明の概要】
【発明が解決しようとする課題】
【０００４】
目的は、ユーザが容易に導入できる監視システムを提供することにある。
【課題を解決するための手段】
【０００５】
本実施形態に係る監視システム、電池を収納する電池ボックスと手動操作部とを有する負荷装置の操作を監視する。監視システムは、負荷装置の電池ボックスに装着される電池形電源装置と、電池形電源装置にネットワークを経由して接続されるサーバ装置とを具備する。電池形電源装置は、負荷装置への電力供給のための電池を収容する電池収容部と、負荷装置と電池との間に流れる電流の変動に基づいて手動操作部が操作されたことを検出する手段と、手動操作部の操作が検出されたとき手動操作部が操作されたことを表す操作データをネットワークを介してサーバ装置に送信する手段とを有する。サーバ装置は、電池形電源装置から操作データを受信する手段と、受信された操作データを記憶する手段と、記憶された操作データに基づいて手動操作部の操作を集計し集計データを発生する集計手段と、集計データをネットワークを経由して外部機器に送信する手段とを有する。
【図面の簡単な説明】
【０００６】
【図１】図１は、本実施形態に係る監視システムを含む全体構成を示す図である。
【図２】図２は、図１の監視システムの構成を示す図である。
【図３】図３は、図１の電池形電源装置の外観を示す斜視図である。
【図４】図４は、図３の電池形電源装置の内部構造を示す図である。
【図５】図５は、図３の電池形電源装置の等価回路図である。
【図６】図６は、図１のサーバ装置で管理されている電池形電源装置管理テーブルを示す図である。
【図７】図７は、図１のサーバ装置による負荷装置の手動操作部の操作履歴の集計処理の結果を示す図である。
【図８】図８は、図１のユーザ端末に表示される操作履歴ページを示す図である。
【図９】図９は、図１のサーバ装置で管理されている操作履歴を示す図である。
【発明を実施するための形態】
【０００７】
本実施形態に係る監視システムは、電池形電源装置とサーバ装置とを有する。電池形電源装置は電池規格に準じた形状及び寸法を有する。電池形電源装置はそれより小型の電池を収容する。電池形電源装置は監視対象としての外部負荷装置（以下、負荷装置という）の電池ボックスに装着され、負荷装置に電力を供給する。負荷装置にはユーザが手動で操作する手動操作部が装備される。負荷装置の典型的な例は、テレビ又はエアコンなどのリモートコントローラ、ライトスタンド、ワイヤレスキーボード、マウス、体重計、懐中電灯、おもちゃである。負荷装置がテレビの音量やチャンネル等を遠隔操作するためのリモートコントローラであれば、複数のボタンが手動操作部である。
【０００８】
負荷装置の手動操作部が操作されたとき、電池形電源装置に収容した電池と負荷装置との間の電流が変動する。電池形電源装置は当該電流の変動を検出する機能を備える。電池形電源装置は、電流変動が検出されたことを表すデータ、つまり負荷装置の手動操作部が操作されたことを表すデータ（操作データ）を公衆電気通信網（インターネット回線）を介してサーバ装置に送信する機能を備える。電池形電源装置を上記のような負荷装置の電池ボックスに装着するだけで、負荷装置の手動操作を検出し、その操作データをサーバ装置に通知することができる。サーバ装置は、電池形電源装置から受信した操作データに基づいて、負荷装置の手動操作の集計し、その集計結果を所定のユーザ端末に提供する。
【０００９】
以下、図面を参照しながら本実施形態に係る監視システムを説明する。以下の説明において、略同一の機能及び構成を有する構成要素については、同一符号を付し、重複説明は必要な場合にのみ行う。
【００１０】
図１に示すように、監視システムはサーバ装置１０を有する。このサーバ装置１０に対して、複数の中継端末２０（２０−１、２０−２）と複数のユーザ端末５０（５０−１、５０−２、５０−３）とがネットワーク６０を介して接続される。中継端末２０−１に複数の電池形電源装置４０−１１、４０−１２、４０−１３、４０−１４がＢｌｕｅｔｏｏｔｈ（登録商標）接続される。同様に、中継端末２０−２は複数の電池形電源装置４０−２１、４０−２２、４０−２３とＢｌｕｅｔｏｏｔｈ（登録商標）接続される。
【００１１】
ユーザ端末５０は、監視システムが提供する監視サービスを利用するユーザが所有する情報通信端末であり、例えばスマートフォン、タブレット、ＰＣ等である。ユーザは、ユーザ端末５０を用いて、サーバ装置１０が提供する監視サイトにアクセスして、負荷装置３０の手動操作部の操作履歴を閲覧することができる。
【００１２】
電池形電源装置４０は、負荷装置３０と、内部収容する電池との間に流れる電流の変動に基づいて負荷装置３０が有する手動操作部の操作を検出する手段と、手動操作部の操作を検出したとき、中継端末２０に対して操作データを送信する手段とを有する。
【００１３】
図３は、図１の電池形電源装置４０の外観を示す斜視図である。図４は、図１の電池形電源装置４０の内部構造を示す断面図である。図５は、図１の電池形電源装置４０の等価回路図である。電池形電源装置４０は、電池規格に準じた形状及び寸法で構成される。ここでは、電池形電源装置４０は単３形電池規格に準じているものとして説明する。
【００１４】
電池形電源装置４０は、単３形電池規格に準じた高さ及び直径の円筒形状のケース４１を有する。ケース４１の外側の前後端面には、単３形電池規格に準じて外側正極端子４３と外側負極端子４４とが装備される。電池形電源装置４０は、単４形電池（内蔵電池）を収納する円筒形状の電池収納部４２を有する。電池収納部４２の内側の前後端面中央には内側正極端子４５と内側負極端子４６としてそれぞれ導電板が取り付けられる。電池収納部４２は、その円筒中心軸がケース４１の円筒中心軸に対して半径方向にオフセットされる。このオフセットにより、ケース４１の内面と電池収納部４２の外面との間にわずかなスペースが確保される。この僅かなスペースに電池形電源装置４０の各種機能を実現する電子回路基板４７が収納される。ケース４１の中心軸に対して、電子回路基板４７が配置された側とは反対側のケース周面の一部分は長円形状に切り欠かれている。この切り欠きの長さは単４形電池と同等又は若干短く、幅は単４形電池の幅より若干広い。これにより、ユーザは、この切り欠きから単４形電池（収納電池）を電池収納部４２に対して挿抜することができる。
【００１５】
電池収納部４２に収納された単４形電池の正極端子は内側正極端子４５に接触し、単４形電池の負極端子は内側負極端子４６に接触する。内側正極端子４５と外側正極端子４３とはそれぞれ外側正極端子４３と外側負極端子４４とにケーブル等を介して電気的に接続される。また、内側正極端子４５と外側正極端子４３とは基板４７に電気的に接続される。
【００１６】
図５は、電池形電源装置４０の等価回路図である。ここでは、電池形電源装置４０が単独で負荷装置としてのライトスタンドの電池ボックスに装着されている例を説明する。電池形電源装置４０に対して、ライトスタンドの電球３１と手動操作部３２とが直列に接続されている。電池形電源装置４０のケース４１内に収納されている電子回路基板４７には、電球３１と内部収容する電池４９に流れる電流を電圧に変換する検出抵抗４０１と、検出抵抗４０１の両端電圧（検出電圧）を参照電圧に対して比較し、比較結果に応じた信号を出力するコンパレータ４０７と、コンパレータ４０７の出力信号に基づいて、手動操作部３２の操作の有無を判定し、手動操作部３２が操作されたとき、電池形電源装置４０を識別するＩＤ（以下、電池形電源装置ＩＤという）と手動操作部３２が操作された時刻を表すタイムコードとを含む操作データをアンテナ４０６を介して中継端末２０に送信するＲＦＩＣ４０５と、電池収納部４２に収納された電池４９の電池電圧を用いてコンパレータ４０７及びＲＦＩＣ４０５の駆動電圧を発生するＤＣＤＣコンバータ４０４とが実装されている。
【００１７】
各部品の接続関係は次のとおりである。  
内側負極端子４６と外側負極端子４４との間に、検出抵抗４０１が介在される。なお、検出抵抗４０１は、内側正極端子４５と外側正極端子４３との間に介在されてもよい。
【００１８】
内側負極端子４６と検出抵抗４０１との間の接続ノードはＧＮＤに接続される。内側正極端子４５と外側正極端子４３との間の接続ノードとＧＮＤとの間には、直列に接続された分圧抵抗４０２，４０３が介在される。内側正極端子４５と外側負極端子４４との間の他の接続ノードにＤＣＤＣコンバータ４０４の入力端子が接続される。ＤＣＤＣコンバータ４０４の出力端子は、ＲＦＩＣ４０５の電源端子とコンパレータ４０７の電源端子とに接続される。この回路構成によれば、負荷装置３０の手動操作部３２のＯＮ／ＯＦＦに関わらず、電池からＤＣＤＣコンバータ４０４に電流が供給されるため、ＲＦＩＣ４０５及びコンパレータ４０７は常時ＯＮ状態である。
【００１９】
コンパレータ４０７の反転入力端子は、検出抵抗４０１と外側負極端子４４との間の接続ノードに接続され、非反転入力端子は、分圧抵抗４０２と分圧抵抗４０３との間の接続ノードに接続される。すなわち、コンパレータ４０７には、検出抵抗４０１の両端電圧と分圧抵抗４０３の両端電圧とが入力される。分圧抵抗４０３の両端電圧は、電池電圧を分圧抵抗４０２，４０３により分圧して得られる電圧である。負荷装置３０の手動操作部３２のＯＮ／ＯＦＦに関わらず、分圧抵抗４０２，４０３は電池とともに閉回路を構成するため、分圧抵抗４０３の両端電圧は固定値である。分圧抵抗４０３の両端電圧を参照電圧という。一方、負荷装置３０の手動操作部３２の操作に応じて検出抵抗４０１に流れる電流は変動する。最も分かりやすい例では、負荷装置３０の手動操作部３２がＯＮ状態であるときは検出抵抗４０１に電流が流れ、負荷装置３０の手動操作部３２がＯＦＦ状態であるときは検出抵抗４０１に電流が流れない。つまり、検出抵抗４０１に流れる電流は、負荷装置３０の手動操作部３２の操作に応じて変動する。
【００２０】
負荷装置３０の手動操作部３２がＯＮ状態であるときに、検出電圧が参照電圧よりも高くなり、ＯＦＦ状態であるときに、検出電圧が参照電圧よりも低くなるよう、分圧抵抗４０２，４０３、さらに検出抵抗４０１の抵抗値の組み合わせが予め調整されている。コンパレータ４０７は検出電圧を参照電圧に対して比較し、比較結果に応じた電圧レベルの信号を出力する。例えば、コンパレータ４０７は、検出電圧が参照電圧以上のときハイレベルの電圧信号を出力し、検出電圧が参照電圧未満のときローレベルの電圧信号を出力する。
【００２１】
ＲＦＩＣ４０５は、コンパレータ４０７の出力信号に基づいて手動操作部３２の操作の有無を判定するための判定テーブルを保持する。判定テーブル上で、コンパレータ４０７の出力信号の電圧レベルの「ローレベル（検出電圧＜参照電圧）」は、手動操作部３２の操作「無」に対応付けされ、「ハイレベル（検出電圧≧参照電圧）」は、手動操作部３２の操作「有」に対応付けされている。
【００２２】
ＲＦＩＣ４０５は、この判定テーブルを照会し、コンパレータ４０７の出力信号の電圧レベルが「ローレベル」であるとき、手動操作部３２操作されていないと判定し、「ハイレベル」であるとき手動操作部３２が操作されたと判定する。手動操作部３２が操作されていないと判定したとき、ＲＦＩＣ４０５は通信処理を実行しない。一方、手動操作部３２が操作されたと判定したとき、ＲＦＩＣ４０５は通信処理を実行し、アンテナ４０６を介して中継端末２０に電池形電源装置ＩＤとタイムコードとを含む操作データを送信する。ＲＦＩＣ４０５に対して中継端末２０がＢｌｕｅｔｏｏｔｈ（登録商標）接続されていないときなど、中継端末２０へのデータ送信が失敗したとき、ＲＦＩＣ４０５は、一時的に操作データを保管し、中継端末２０との接続が完了したとき、保管していたデータをまとめて中継端末２０に送信する。なお、ＲＦＩＣ４０５は、予め決められたタイミング、例えば午前０時にまとめて中継端末２０に操作データを送信するようにしてもよい。
【００２３】
中継端末２０は、電池形電源装置４０とサーバ装置１０との間を中継する機能を有する情報通信端末であり、例えばスマートフォン、タブレット、ＰＣ、ルータ等である。図２に示すように、中継端末２０−１は、ＣＰＵ２１、メモリ２２、ＨＤＤ（Ｈａｒｄ  Ｄｉｓｋ  Ｄｒｉｖｅ）２３、第１通信部２４及び第２通信部２５を有する。ＣＰＵ２１は、中継端末２０の各部を統括して制御する。メモリ２２は、プログラム、受信したデータを一時的に格納するワークエリア等として機能する。第１通信部２４は、Ｂｌｕｅｔｏｏｔｈ（登録商標）規格に準拠した通信を行い、電池形電源装置４０から送信された操作データを含む信号を受信する。第２通信部２５は、ＬＴＥ（Ｌｏｎｇ  Ｔｅｒｍ  Ｅｖｏｌｕｔｉｏｎ）規格に準拠した通信を行い、操作データと中継端末ＩＤとを含む信号をサーバ装置１０に送信する。ＨＤＤ２３は、監視サービスに係るアプリケーションソフト（以下、監視アプリという）のデータを記憶する。中継端末２０のＢｌｕｅｔｏｏｔｈ（登録商標）の受信機能をＯＮ状態にし、監視アプリを起動した状態にしておくことで、中継端末２０−１は、予めペアリングされている複数の電池形電源装置４０−１１，４０−１２，４０−１３，４０−１４のそれぞれからの操作データを受信可能に待機する。操作データを受信したとき、中継端末ＩＤと受信した操作データに含まれる電池形電源装置ＩＤとタイムコードとを含む信号をサーバ装置１０に送信する。
【００２４】
サーバ装置１０は、負荷装置３０の手動操作部３２の操作履歴を保管する手段と、電池形電源装置４０から送信された操作データを受信する手段と、受信した操作データに基づいて操作履歴を更新する手段と、手動操作部３２の操作履歴の集計処理を実行する手段と、その集計処理の結果を、ユーザ端末５０に提供する機能を有する。
【００２５】
図２に示すように、サーバ装置１０は、ＣＰＵ１１、メモリ１２、ＨＤＤ１３及び通信部１４を有する。ＣＰＵ１１は、サーバ装置１０の各部を統括して制御する。メモリ１２は、プログラム、受信データ及び処理中のデータを一時的に格納するワークエリア等として機能する。通信部１４は、ＬＴＥ規格に準拠したサーバ通信処理を行い、中継端末２０−１から電池形電源装置ＩＤとタイムコードと中継端末ＩＤとを含む信号を受信する。ＨＤＤ１３は、監視サービスに係るサーバプログラム（以下、監視サーバプログラムという）のデータと、負荷装置３０の操作履歴のデータと、電池形電源装置管理テーブルのデータと、操作履歴の集計結果のデータとを記憶する。図９に示すように、操作履歴は、複数のレコードからなる。１つのレコードには、タイムコード、電池形電源装置ＩＤおよび中継端末ＩＤが含まれる。１つのレコードが、負荷装置３０の手動操作部３２の１回の操作を表す。
【００２６】
図６に示すように、電池形電源装置管理テーブルは、項目「電池形電源装置ＩＤ」、「中継端末ＩＤ」、「ユーザＩＤ」、「場所」、「装置名」を含む。電池形電源装置ＩＤ、中継端末ＩＤ及びユーザＩＤは、それぞれ電池形電源装置４０、中継端末２０及びユーザを識別するためのＩＤである。電池形電源装置ＩＤは、電池形電源装置４０に予め割り当てられている固定ＩＤである。中継端末ＩＤは、中継端末２０に予め割り当てられている固定ＩＤ、本実施形態に係るサーバ装置１０により割り当てられるＩＤ，または監視アプリをダウンロードしたときにダウンロードサーバにより割り当てられるＩＤである。ユーザＩＤは、ユーザ端末５０に予め割り当てられている固定ＩＤ，監視サイトのマイページにログインするログインＩＤ、または監視サイトのマイページにユーザ登録したときにサーバ装置１０に割り当てられるＩＤである。図６に示すように、電池形電源装置管理テーブル上では、単一の電池形電源装置ＩＤに対して複数のユーザＩＤが関連付けされていてもよい。項目「場所」及び「装置名」は、項目「電池形電源装置ＩＤ」により特定される電池形電源装置４０が装着された負荷装置３０の設置場所及び負荷装置３０の名称をそれぞれを示す。項目「場所」、「装置名」の登録作業は、例えば、ユーザ端末５０を介してサーバ装置１０が提供する監視サイト上でユーザが行う。項目「場所」、「装置名」は、操作履歴ページで負荷装置３０を認識するために必要な情報である。そのため、項目「場所」、「装置名」の登録作業は任意である。
【００２７】
図７に示すように、操作履歴の集計結果は、負荷装置３０毎の単位時間あたり、ここでは１日単位の操作回数の計数結果である。操作履歴の集計結果と電池形電源装置管理テーブルとは、電池形電源装置ＩＤにより一元管理される。
【００２８】
サーバ装置１０は、インターネット上の監視サイトに操作履歴をアップロードする。ユーザは、ユーザ端末５０を用いてサーバ装置１０が提供する監視サイトにユーザＩＤでログインすることで、当該監視サイトの操作履歴ページでユーザＩＤに関連付けされている負荷装置３０の手動操作部３２の操作履歴を閲覧することができる。図８に示すように、ユーザ端末５０に表示される操作履歴ページには、負荷装置３０毎に棒グラフが表示される。この棒グラフは、操作履歴の集計結果に基づいて作成され、１日単位の操作回数を表す。この棒グラフには、負荷装置３０の設置場所と負荷装置３０の装置名とが併記されている。操作履歴ページを閲覧することで、ユーザは、どの場所に設置したどの負荷装置３０がどれだけ操作されているかを認識することができる。もちろん、ここでは１日単位の操作回数を表す棒グラフが表示されているが、もっと細かい時間単位で表された棒グラフ、もっと長い時間単位で表された棒グラフを表示することもできる。
【００２９】
監視サーバプログラムを起動した状態にしておくことで、サーバ装置１０は、中継端末２０からの信号の受信を待機する。中継端末２０からの信号を受信したとき、負荷装置３０の手動操作部３２の操作履歴ページの更新処理を実行する。すなわち、サーバ装置１０は、受信した中継端末ＩＤと電池形電源装置ＩＤとが電池形電源装置管理テーブル上で関連付けされているか否かを判定する。受信した中継端末ＩＤと電池形電源装置ＩＤとが電池形電源装置管理テーブル上で関連付けされているとき、当該電池形電源装置ＩＤにより特定される電池形電源装置４０が装着されている負荷装置３０の手動操作部３２が操作されたと判定し、電池形電源装置ＩＤ，中継端末ＩＤおよびタイムコードを操作履歴として保管する。また、操作履歴の集計結果において、当該電池形電源装置ＩＤが含まれるレコードのタイムコードにより特定される日時の操作回数を更新する。操作履歴の集計結果の更新に伴って、監視サイトの操作履歴ページ上の棒グラフも更新される。受信した中継端末ＩＤと電池形電源装置ＩＤとが電池形電源装置管理テーブル上で関連付けされていないとき、サーバ装置１０による上記更新処理は行われない。
【００３０】
以上説明した本実施形態に係る監視システムによれば、ユーザに対して、負荷装置３０の操作履歴に関する情報を提供することができる。当該監視システムを見守りシステムとして導入する場合、ユーザは、手動操作部３２と電池ボックスとを備える負荷装置３０と、負荷装置３０に装着する電池形電源装置４０と、電池形電源装置４０からの信号を受け、サーバ装置１０にネットワーク６０を介して接続されるスマートフォンなどの中継端末２０を用意する必要がある。しかしながら、上記の負荷装置３０は、見守られる側の高齢者の住宅にあるテレビ、エアコンなどを操作するリモートコントローラなどでよく、このような負荷装置３０は他にもあり、改めて用意する必要はほとんどない。また、中継端末２０はスマートフォンなどでよく、近年、高齢者でもスマートフォンを所持するようになってきていることから、中継端末２０を用意する必要はほとんどない。したがって、ユーザは電池形電源装置４０だけを用意すればよく、初期投資コストは低い。初期投資コストが低いことは、当該監視システムの導入障壁を低くする一つの要素である。
【００３１】
また、通常の電池と同じように扱える電池形電源装置４０を利用することは、負荷装置３０の外観や内部構成を変更することを不要とし、また既存の負荷装置３０にも適用することを可能にする。監視システムの導入前後で、負荷装置３０の使用感の変化はなく、また、電池形電源装置４０は電池ボックスに装着されてしまえば、日常を送る高齢者の目は届かない。これらのことは、見守られる側の精神的負担を軽減するため、当該監視システムの導入障壁を低くする一つの要素である。
【００３２】
また、電池形電源装置４０を装着する負荷装置３０を変更するだけで、監視対象を負荷装置を簡単に変更できる。したがって、テレビの買い替えなどにも対応することができ、非常に汎用性が高い。この汎用性が高いことも当該監視システムの導入障壁を低くする一つの要素である。
【００３３】
さらに、万が一、電池形電源装置４０が故障した場合でも、電池形電源装置４０の交換作業は、通常の電池交換作業と同じであり、電池形電源装置４０を電池ボックスに装着する向きなどを注意する必要もないため、高齢者にも簡単にできる。そのため、ユーザは、交換用の電池形電源装置４０を郵送等で高齢者に届けるだけでよい。つまり、本実施形態に係る監視システムはメンテナンスが容易といえる。メンテナンスの容易性は、当該監視システムの導入障壁を低くする一つの要素である。
【００３４】
以上のように、本実施形態に係る監視システムは、当該監視システムの導入コストを低く抑え、メンテナンスが容易であり、汎用性も高いことから、ユーザによる当該監視システムの導入障壁が低い。
【００３５】
なお、電池形電源装置４０が中継端末２０を介さずにネットワークに接続できるのであれば、中継端末２０は不要である。中継端末２０を不要にすることは、ユーザによる当該監視システムの導入障壁をさらに低くする。また、本実施形態は、装置間の通信規格を限定しない。例えば、電池形電源装置４０と中継端末２０との間がＢｌｕｅｔｏｏｔｈ（登録商標）接続されるが、他の通信規格を用いて無線接続されてもよい。また、中継端末２０は、ＬＴＥ規格ではなく、他の通信規格を用いてネットワーク６０に接続されてもよい。
【００３６】
また、本実施形態において、サーバ装置１０が保持していた電池形電源装置管理テーブルは、中継端末２０または電池形電源装置４０で管理されていてもよい。また、ここでは手動操作部３２が操作された時刻を表すタイムコードが電池形電源装置４０により発生されるが、電池形電源装置４０から操作データを受信した時刻を表すタイムコードを中継端末２０が発生して、そのタイムコードを電池形電源装置ＩＤと中継端末ＩＤとともに信号としてサーバ装置１０に送信するようにしてもよい。
【００３７】
また、本実施形態では、ユーザは、サーバ装置１０により提供される監視サイトのユーザの操作履歴ページ上で負荷装置３０の操作履歴を確認することができるが、ユーザへの負荷装置３０の操作履歴の提供方法はこれに限定されない。例えば、サーバ装置１０は、ユーザ端末５０からのリクエストに呼応して、電池形電源装置管理テーブル上で、ユーザＩＤに関連付けされている電池形電源装置ＩＤを特定し、その特定した電池形電源装置ＩＤに関連付けされている操作履歴、場所、装置名に関するデータをユーザ端末５０に送信するようにしてもよい。この場合、ユーザ端末５０側には、サーバ装置１０から送られたデータから操作履歴ページを作成するアプリケーションソフトがインストールされている必要がある。
【００３８】
なお、電池形電源装置４０は、電池収納部４２に収納された電池の電池電圧を検出する手段を有してもよい。この場合、電池の両端電圧をデジタル信号に変換した信号をＲＦＩＣ４０５に入力されるように回路を構成すればよい。例えば、電池形電源装置の外側正極端子４３と内側正極端子４５との間の接続ノードにＡＤコンバータの入力端子が接続され、ＡＤコンバータの出力端子がＲＦＩＣ４０５の他のInput端子に接続される。なお、ＲＦＩＣ４０５がＡＤ変換機能を有するのであれば、電池形電源装置の外側正極端子４３と内側正極端子４５との間の接続ノードにＲＦＩＣ４０５の他のInput端子が直接接続される。ＲＦＩＣ４０５は常時ＯＮ状態であるため、ＲＦＩＣ４０５には、常に電池電圧のデジタルデータが入力される。ＲＦＩＣ４０５は、検出した電池電圧のデータを含めた操作データを中継端末２０に送信する。中継端末２０は、電池電圧データ、電池形電源装置ＩＤ，タイムコード、中継端末ＩＤを含むデータをサーバ装置１０に送信する。サーバ装置１０は、電池電圧データに関する情報、例えば電池残量を、監視サイト又はメール等を介してユーザに提供する。これにより、ユーザは、電池残量の不足に備えてか準備することができ、これはメンテナンス性をさらに向上させる。
【００３９】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４０】
１０…サーバ装置、２０…中継端末、３０…負荷装置、４０…電池形電源装置、５０…ユーザ端末、６０…ネットワーク。
【図１】
2019064992.tif 000003
【図２】
2019064992.tif 000004
【図３】
2019064992.tif 000005
【図４】
2019064992.tif 000006
【図５】
2019064992.tif 000007
【図６】
2019064992.tif 000008
【図７】
2019064992.tif 000009
【図８】
2019064992.tif 000010
【図９】
2019064992.tif 000011
【国際調査報告】
2019064992.tif 000012
2019064992.tif 000013
2019064992.tif 000014
2019064992.tif 000015
2019064992.tif 000016
2019064992.tif 000017
2019064992.tif 000018
2019064992.tif 000019